(57)【要約】      （修正有）【課題】消火剤（水）を入れた容器の携行性能を高め、片手だけで放水でき、従前の器材よりも放水距離を確実に伸ばす。【解決手段】  難燃性の樹脂素材で成形したリュックケースの内側に、可撓性のある樹脂素材を用いた消火剤貯留部を設ける。消火剤貯留部は、可撓性のある二枚の樹脂材を重ね合わせ、内側樹脂材の端縁を接着によって封密するとともに、外側樹脂材の端縁を、内側樹脂材の端縁の封密部の上から補強糸によって縫製して構成する。樹脂材の複数構造とし加圧による外周端縁の破損や膨張破裂を最小限に抑える。可撓性のある比較的柔軟な樹脂を用いて構成するので、背中に当たる部分の感触を和らげる。液体を入れる消火剤貯留部は二重構造として端部を厳重に封密するため加圧による破損は生じない。片手で操作できる放水銃を利用でき、手動のポンプ以上に放水距離を伸ばすことが出来る。【選択図】図１
2006110105.tif 000002
【特許請求の範囲】
【請求項１】
難燃性の樹脂素材で成形したリュックケースの内側に、可撓性のある樹脂材を用いた消火剤貯留部を設け、
消火剤貯留部は、
重ね合わせた樹脂材の端縁を接着によって封止した袋状の貯留部本体と、
貯留部本体の外側に配した外側樹脂材の端縁を、貯留部本体の端縁の両面から挟んで補強糸によって縫製した補強カバー部とを備え、
リュックケースの後面に、
貯留部本体に対して消火剤を充填できる注水口と、
消火剤貯留部に加圧用の気体を注入する気体注入口と、
放水ガン用の放水口とを設けることを特徴とする放水リュック。
【請求項２】
リュックケースに肩ベルトと腰ベルトの一端を固定するとともに、
腰ベルトの前側に加圧用のカートリッジボンベを装着できるホルダポケットを設けることを特徴とする請求項1記載の放水リュック。
【請求項３】
貯留部本体は、内部に蓄えた消火剤の揺動を抑える複数の隔壁材を備えることを特徴とする請求項１または請求項２記載の放水リュック。
【請求項４】
リュックケースおよび消火剤貯留部は、環状を呈することを特徴とする請求項１ないし請求項３記載の放水リュック。
【発明の詳細な説明】
【技術分野】
【０００１】
本発明は、鎮火用または消火用の水（消火剤）を背負って携行し、森林火災や高速道路の事故現場等において放水するための消火用のリュックの構造に関する。
【背景技術】
【０００２】
火災時には、消火栓にホースの端部を接続させて大量の水（消火剤）を放水するのが一般である。しかし、高速道路のように事故現場の付近に消火栓がない場所、あるいは森林火災の貯水タンクを備えた消防車両が行けない場所がある。このような場合、従来は、水等の消火剤を入れたリュックを人が背負い、手動ポンプを用いて放水を行った。
【０００３】
従来提案されている技術としては、金属ボンベを背負うものがある。例えば特開２００３−１９０３１４号である。ただし、これは消火栓や貯水タンクをもった消防車両のように水の供給源が外部にあり、ボンベは加圧用の高圧気体ボンベとして説明されている。
【特許文献１】特開２００３−１９０３１４号
【発明の開示】
【発明が解決しようとする課題】
【０００４】
従来の技術の問題は、貯水タンクを備えた消防車両が行けない場所や消火栓が付近にない火災現場における手動ポンプによる放水方式では、消火活動時の身体の自由が制限されやすい点、および必要十分な放水距離を獲得できない点にある。
【０００５】
手動ポンプによる放水は、両手を使ってポンプを動かすため、放水時には両手がふさがる。このため、鎮火や消火の対象物を放水しながら手で取り除くことは出来ないし、傾斜地における体重バランスの確保などが出来ず、速やかな消火・鎮火活動に必然的な制限が生じ、また消火・鎮火活動を行う者の安全を十分に保証できない欠点がある。
【０００６】
手動ポンプによる放水では、手動によって与えられる圧力に限界があり、消火剤を遠くまで飛ばすという点では十分な機能を発揮できない難点がある。森林火災の鎮火活動のように、火がくすぶって熱いところで活動するには、少なくとも６ｍ以上、好ましくは７〜１０ｍないしそれ以上の放水距離が望まれるところ、従来の手動ポンプではせいぜい５〜６ｍの放水が限度である。
【０００７】
そこで、本発明の目的は、片手で放水を行うことが出来、しかも十分な放水距離をもつ放水リュックを提案する点にある。
【課題を解決するための手段】
【０００８】
前記目的を達成するため、請求項１に係る放水リュックは、難燃性の樹脂素材で成形したリュックケースの内側に、可撓性のある樹脂素材を用いた消火剤貯留部を設ける。少なくとも、水を充填できる注水口と、消火剤貯留部に加圧用の気体を注入する気体注入口と、放水口とを設けておく。
【０００９】
可撓性のある樹脂材で成形した消火剤貯留部を樹脂製のリュックケースの内側に設けるので、背中に応じた大きさに成形することで背負いやすく、消火活動時の体の動きの自由性を確保する。消火剤（水等）を噴出させるための圧力は、気体注入口を介して携帯ボンベから注入する。加圧による放水の方式をとるので、片手でトリガーを引く放水銃を利用し、両手を使うことなく放水を行うことが可能となる。
【００１０】
消火剤貯留部は、可撓性のある二枚の樹脂材を重ね合わせ、内側樹脂材の端縁を接着によって封密するとともに、外側樹脂材の端縁を、内側樹脂材の端縁の封密部の上から補強糸によって縫製して構成する。樹脂材の複数構造とすることにより、加圧による外周端縁の破損や膨張破裂を最小限に抑える。これによってリュック内に十分な圧力を与えることが可能となり、圧力に応じて放水距離を伸ばすことが可能となる。
【００１１】
消火剤貯留部は、最小限二枚の樹脂材を重ね合わせた内側の貯留部本体と、最小限二枚の樹脂材を重ね合わせた外側の補強カバー部とによって、十分な耐圧性を得る。それ以上の枚数を重ね合わせても良いが製造コストが嵩む。
【００１２】
請求項２に係る放水リュックは、リュックケースに肩ベルトと腰ベルトの一端を固定し、腰ベルトの前側に加圧用のカートリッジボンベを装着できるホルダポケットを設けるものである。肩ベルトと腰ベルトを併用することによって重量を分散しつつ背負えるようにし、同時に、放水用の加圧ボンベを出来るだけ多く携行し、取り出しやすくする。
【００１３】
請求項３に係る放水リュックは、貯留部本体が、消火剤の揺動を抑える複数の隔壁材を備えるものである。消火活動には大量の消火剤（主として水）を要するため、消火剤貯留部はできるだけ容積を大きくすることが望まれる。しかしながら、大量の消火剤を内部に蓄えると、液体消火剤の揺動によって敏速で自由な動きが制限されやすい。
【００１４】
一方、内部に隔壁材を設けると、消火剤の左右方向への運動を抑えることが出来るため、リュックの動きが少ない機動性に優れた使用状態となる。また隔壁材を設けることにより、樹脂成形した消火剤貯留部の耐圧性を高めることが出来るため、内部圧力を十分に高めることが可能となって放水距離を伸ばすことが可能となる。
【００１５】
請求項４に係る放水リュックは、消火剤貯留部が環状（ドーナツ形）を呈するものである。重量物である消火剤（水）を背負うとき、背骨に当接する箇所に空隙があると全体重量を背中で受け止めやすくなる。いわゆるドーナツ型として中央部に空隙を設け背骨に当接する面積部分を減少させることにより、背骨に液体のぶれ（揺動）が伝わらず、走ること、しゃがむこと、上体を曲げること、ひねること、といった各種の身体動作がより容易となる。
【００１６】
また、消火剤貯留部を環状とする場合は、消火剤の揺動（左右への移動量）も少なくなるので、必ずしも隔壁材を設ける必要がなく、製造コストを低減できる利点もある。
【発明の効果】
【００１７】
本発明に係る放水リュックによれば、消火剤を入れるための比較的柔軟な容器を背負って携行することが出来、消火・鎮火活動時の体の動きの自由性を改善できる。放水用の加圧の圧力に耐える構造となっているため、放水銃を利用して片手で放水を行い、放水距離も十分に高めることが可能となる。
【発明を実施するための最良の形態】
【００１８】
図１、図２は、本発明に係る放水リュックを例示するものである。この放水リュックは、難燃性の樹脂素材で作った柔軟なリュックケース１０の内側に可撓性のある樹脂材を用いた消火剤貯留部２０を設けるものである。
【００１９】
この放水リュックは、いわゆる消防服の上に背負うものである。消防服を着ているので、消火作業者の熱的な意味での安全は確保される。
【００２０】
リュックケース１０を、難燃性の樹脂素材（例えばターポリン）とするのは、消火剤（主として水）を入れる容器（消火剤貯留部２０）が樹脂製であるため、高温の火事現場で直接火炎に晒されると変形する可能性があるためである。リュックケース１０の役目は、主として消火剤貯留部２０を覆って熱変形を防止する点にある。また、背中の広さを利用して幅広に成形し、消火剤貯留部２０を背負いやすいようにすれば更に好ましい。
【００２１】
消火剤貯留部２０は、図３に示すように可撓性のある例えば二枚の樹脂材２１を重ね合わせて端縁２２を接着することによって袋状の貯留部本体２３を作るとともに、この貯留部本体２３の両面（上下）に適宜数、例えば二枚の外側樹脂材２４を重ね合わせ、この外側樹脂材２４の端縁２５を縫製することによって成形する。外側樹脂材２４の端縁２５を縫製すると、二枚の外側樹脂材２４は袋状を呈して貯留部本体２３を外側から包み、請求項１に係る補強カバー部となる。なお、貯留部本体２３の容積は、１６〜２５リットルの水を入れることが出来る程度に設定しておくことが望ましい。
【００２２】
貯留部本体２３と外側樹脂材２４は外周端部で接合すれば良く、その他の箇所において接着や縫製によって接合しておく必要はない。但し、貯留部本体２３と外側樹脂材２４は、図４に示すように、放水リュックの背面に設ける各種開口（注水口Ａ、気体注入口Ｂ、放水口Ｃ等）において、開口用の管状部材７１の鍔部７２に挟み込まれた状態で保持され、一種の接合状態を呈する。注水口と気体注入口は例えば放水リュックの背面上部、放水口は例えば放水リュックの背面下部に設けておく。
【００２３】
図５は、貯留部本体２３の端縁２２と、外側樹脂材（補強カバー部）２４の端縁２５の関係を具体的に例示するものである。外側樹脂材２４の端縁２５は、貯留部本体２３の端縁２２を両面で挟んで縫製すればよいのであるが、単純に重ね合わせて縫製すると、重ね合わせた最低四枚の樹脂材（２１、２４）の端部がむき出しになって当該部分の接合に剥離が生じやすい。そこで、好ましくは、外側樹脂材２４の端縁２５を覆うように保護カバー材２７を配設し、この保護カバー材２７の上から樹脂材（２１、２４）の端縁（２２、２５）を補強糸２８によって縫製する。かかる構成により、貯留部本体２３は、内部が加圧されても端縁２２の破損が生じにくい強い構造となる。保護カバー材２７は樹脂に限らず強靱な布地（革など）を用いることが出来る。必要に応じて保護カバー材２７の上に金属や樹脂などの硬質の補強フレーム材を配しても構わない。
【００２４】
放水リュックを背負ったときの安定を図るため、この実施形態では、ショルダーベルト３０と、リュックケース１０の前側に設けたホルダポケット（腰ベルトを兼用する）４０を用いる。
【００２５】
ショルダーベルト３０は、例えば、消火剤貯留部２０の重量を支える程度の面積をもたせた基端部３１と、この基端部３１から延設した左右二本のベルト３２によって構成する。このショルダーベルト３０は、内部に水などの消火剤を入れた消火剤貯留部２０の重量を肩部で支える。
【００２６】
基端部３１は、リュックケース１０の前側の上部に、例えば補強糸を用いた縫製等の手段によって取り付ける。接着でも良い。ベルト３２の先端部には、金属または樹脂製の係合片３４を設けておく。この係合片３４は、例えば、ホルダポケット４０の基端部４２の前側に取り付けたロック部材４４と対の係止部品とし、係合片３４は当該ロック部材４４に係合して人為的な解除操作をしない限りはロック状態を保つ。ロック部材４４および係合片３４は、例えばシートベルトに使用される着脱自在のロック用部品を用いることが出来る。ショルダーベルト３０の素材は、例えば、引っ張りに強い樹脂または天然繊維の織物材を用いる。コストを低減するため織物ではない合成樹脂の可撓性のある板材（ベルト状成形品）を用いても構わない。
【００２７】
ホルダポケット４０は、例えば略長方形の生地を用いて、その生地の片側部分にポケット本体４１を作り、片側の基端部４２にロック部材４４を設ける。基端部４２は、リュックケース１０の前側に適宜の手段、例えば縫製により固定しておく。
【００２８】
ホルダポケット４０は、左右二つ設けることが望ましい。こうすることにより、左右のポケット本体４１をバックル４７を介して連結固定することにより、背負っているリュックケース１０の前側をからだの前で閉じて、放水リュックの動きを安定させることが出来る。バックル４７は、例えば臍のあたりに位置させると固定／解除の操作が容易となる。
【００２９】
ポケット本体４１の内部には、図６に例示するように、加圧用のカートリッジボンベ４３を複数本装填するための装着バンド４６を設ける。装着バンド４６の素材は、カートリッジボンベ４３を確実に拘束できるものであればよいが、好ましくは伸縮可能なゴム材を使用する。カートリッジボンベ４３の動きを常時確実に抑えることが出来るからである。装着バンド４６は、カートリッジボンベ４３を装着しやすいように例えば断面略半円形の装着用凸部４９を備えることが望ましい。
【００３０】
４８は、消火剤貯留部２０の内圧を視認するための圧力計、４９は、加圧用ガスを抜くための開放弁（リリース）である。圧力計４８や開放弁４９は、例えばダイビング用の機材を使用することが出来る。
【００３１】
放水時には加圧が必要であるが、携行性を考慮すれば軽量小型のカートリッジボンベ４３を使用することが望ましく、このため交換用の予備のカートリッジボンベ４３をできるだけ多く携行することが望まれる。消火剤貯留部２０の消火剤がなくなっても、森林火災の場合は沢の水などを補充して放水活動を続行できることが多いからである。放水時における加圧は、少なくとも例えば０．１３ＭＰａ（１３００ヘクトパスカル）程度に保つことが望まれる。この程度の圧力を消火剤貯留部２０に加えることで、放水銃から約７〜１０メートルの放水が可能となる。
【００３２】
放水リュックをこのように構成すれば、比較的柔軟で、背中の面積を利用した幅広の貯水タンクを背負って携行することが可能となる。消火剤貯留部は可撓性のある樹脂材を用いるが、接着と縫製による二重構造であるから加圧による破損のおそれもない。この結果、森林火災や高速道路の車両事故のように消火水の設備がない場所、消防車両が行けない場所、傾斜地等における消火活動における身体の動きの自由性（機動性）を確保でき、加圧式の放水銃を使用出来ることから片手だけで放水作業を行い、かつ従来の手動ポンプに較べて放水距離を十分に高めることが出来る。
【００３３】
なお、加圧用の気体は炭酸ガスや圧縮空気を利用することが出来る。また、消火剤は基本的には水（水道水等）で良いが、必要に応じて水に浸潤剤（例えば、リン酸塩、硫酸塩、界面活性剤、等）を添加したものや、水に泡消火剤（例えば、商品名；フォス・チェック）を添加したものを用いることが出来る。水を単独で用いる場合は、放水銃の先端部にミストシャワーの発生器具を取り付けることも出来る。水を霧化して噴霧すると少量で大きな消火効果を得るからである。
【００３４】
図７、図８は、貯留部本体２３に設ける隔壁材８１、８２を例示する。この実施形態では、長短ふたつの隔壁材８１、８２を縦方向に配し、水を主とする消火剤の左右の動きを抑える。長手寸法が大きな隔壁材８１は左右の外側位置に配し、長手寸法が小さな隔壁材８２はそれよりも左右の内側の位置に配することが望ましい。これは、水を放出するための放水口Ｃを、貯留部本体２３の中央下端部に設けることが望ましいため、放水口Ｃまわりの水の流動性を良好に保つためである。水の揺動をおさえるだけならば隔壁材８１、８２の長手寸法は大きいほど好ましいのであるが、放水時の水の流動性を考慮すると、長短ふたつの隔壁材８１、８２を併用する方が放水機能の点で優れる。隔壁材８１、８２の上端と下端は、貯留部本体２３を閉じて水（消火剤）の流れを妨げないよう開放空間を設ける。
【００３５】
図９は、外観が環状であるリュックケース９１を示すものである。いわゆるドーナツ型で中央部に空隙９２を備えるようにしておけば、背骨に加わる衝撃を格段に軽減でき作業性を向上させることが出来る。上下／左右の寸法が同じであるならば、矩形型の放水リュックに較べて水の収納量が減少する可能性があるが、背骨に対する負担を軽減できる分、上下／左右に対する大きさを広げることもできるし、前記の隔壁材８１、８２を配さなくても水の左右の揺動を抑えることが出来るため、全体の重量はむしろ有利できる利点がある。リュックケース９１の内部に収める消火剤貯留部の構造は前記説明のものと同じであり、加圧しても破損しないよう端縁の接合を強化する。
【図面の簡単な説明】
【００３６】
【図１】本発明に係る放水リュックを例示する斜視図である。
【図２】消火剤貯留部を例示する図１の側面図である。
【図３】消火剤貯留部の構造を分解して例示する図である。
【図４】消火剤貯留部の開口部の構造を例示する図である。
【図５】貯留部本体の端縁の構造を例示する部分断面図である。
【図６】本発明に係るホルダポケットの内部構造を例示する図である。
【図７】貯留部本体に設ける隔壁材を正面から例示する図である。
【図８】図７のE矢視図である。
【図９】本発明に係る環状の外観をもった放水リュックを例示する図である。
【符号の説明】
【００３７】
１０、９１  リュックケース
２０  消火剤貯留部
２１  樹脂材
２２、２５  端縁
２３  貯留部本体
２４  外側樹脂材
２７  保護カバー材
２８  補強糸
３０  ショルダーベルト
３１  基端部
３２  ベルト
３４  係合片
４０  ホルダポケット（腰ベルト）
４１  ポケット本体
４２  （ホルダポケット４０の）基端部
４３  カートリッジボンベ
４４  ロック部材
４６  装着バンド
４７  バックル
４８  圧力計
４９  開放弁（リリース）
７１  管状部材
７２  鍔部
８１、８２  隔壁材
９２  空隙
Ａ  注水口
Ｂ  気体注入口
Ｃ  放水口
【図１】
2006110105.tif 000003
【図２】
2006110105.tif 000004
【図３】
2006110105.tif 000005
【図４】
2006110105.tif 000006
【図５】
2006110105.tif 000007
【図６】
2006110105.tif 000008
【図７】
2006110105.tif 000009
【図８】
2006110105.tif 000010
【図９】
2006110105.tif 000011